(57)【特許請求の範囲】
【請求項１】
子供安全シートの下に据え付けられるよう構成される折畳み可能な支持装置であって、
第１の支持部分と、第２の支持部分とを含み、該第２の支持部分は、前記第１の支持部分に折畳み可能であるよう、前記第１の支持部分のある端部に旋回的に接続され、前記第１の支持部分の他の端部は、前記子供安全シートに旋回的に接続され、前記第１の支持部分は、使用位置及び格納位置のうちの１つに配置されるよう、前記子供安全シートに対して選択的に回転させられ、前記第２の支持部分は、支持位置と折畳み位置のうちの１つに配置されるよう、前記第１の支持部分に対して選択的に回転させられ、
前記第１の支持部分は、前記第２の支持部分に面する側とは反対の側から離れる方向において外向きに突出する係合突起を有し、前記子供安全シートは、前記係合突起に対応する係合孔を有することを特徴とする、
支持装置。
【請求項２】
前記第１の支持部分が前記使用位置に配置されるとき、前記子供安全シートは、第１の前向き使用状態にあり、前記第１の支持部分が前記格納位置に配置されるとき、前記子供安全シートは、後向き使用状態にある、請求項１に記載の折畳み可能な支持装置。
【請求項３】
前記第１の支持部分が前記使用位置に配置され、前記第２の支持部分が前記支持位置に配置されるとき、前記子供安全シートは、第２の前向き使用状態にある、請求項２に記載の折畳み可能な支持装置。
【請求項４】
他の１つの前記第１の支持部分を更に含み、該２つの第１の支持部分の各々は、前記第２の支持部分の両側にそれぞれ配置される、請求項１に記載の折畳み可能な支持装置。
【請求項５】
制限部分と、回転部分とを更に含み、該回転部分は、前記第２の支持部分を回転可能に通過し、前記回転部分及び前記第１の支持部分は、固定的に接続され、前記制限部分のある端部は、前記第１の支持部分内に挿入され、前記制限部分の他の端部は、前記第２の支持部分内に延び、前記第２の支持部分は、前記制限部分が延びるための回転室を有し、前記第２の支持部分は、少なくとも１つの位置決め突起を有し、第１の位置決め領域及び第２の位置決め領域が、前記位置決め突起と前記回転室の側壁との間に形成され、前記第２の支持部分が回転させられて、前記制限部分を前記第１の位置決め領域内に配置するとき、前記第２の支持部分は、前記支持位置に配置され、前記第２の支持部分が回転させられて、前記制限部分を前記第２の位置決め領域内に配置するとき、前記第２の支持部分は、前記折畳み位置に配置される、請求項１に記載の折畳み可能な支持装置。
【請求項６】
前記回転室の底壁が、第１の分離孔と、第１の片持ち部分とを有し、該第１の片持ち部分は、前記第１の分離孔内に突出し、前記位置決め突起は、前記第１の片持ち部分の上に突出するよう配置される、請求項５に記載の折畳み可能な支持装置。
【請求項７】
前記第１の支持部分は、前記第２の支持部分に向かって突出する軸受部分を有し、前記回転部分は、前記軸受部分内に挿入され、前記軸受部分に固定的に接続される、請求項５に記載の折畳み可能な支持装置。
【請求項８】
前記第１の支持部分は、前記第２の支持部分に向かって突出する挿入ブロックを有し、前記制限部分は、前記挿入ブロックの上にスリーブ接続される、請求項５に記載の折畳み可能な支持装置。
【請求項９】
前記第１の支持部分は、第２の分離孔と、第２の片持ち部分とを更に含み、該第２の片持ち部分は、前記第２の分離孔内に突出し、前記係合突起は、前記第２の片持ち部分の上に突出するよう配置される、請求項１に記載の折畳み可能な支持装置。
【請求項１０】
前記第２の支持部分は、互いに直線的に接続される第１の支持ブロックと第２の支持ブロックとを含み、該第２の支持ブロックは、前記第１の支持ブロック内に適合する、請求項１に記載の折畳み可能な支持装置。
【請求項１１】
子供安全シートであって、
シート本体と、折畳み可能な支持装置とを含み、該折畳み可能な支持装置は、第１の支持部分と、第２の支持部分とを含み、該第２の支持部分は、前記第１の支持部分に折畳み可能であるよう、前記第１の支持部分のある端部に旋回的に接続され、前記第１の支持部分の他の端部は、前記シート本体に旋回的に接続され、前記第１の支持部分は、使用位置及び格納位置のうちの１つに配置されるよう、前記シート本体に対して選択的に回転させられ、前記第２の支持部分は、支持位置及び折畳み位置のうちの１つに配置されるよう、前記第１の支持位置に対して選択的に回転させられ、
前記第１の支持部分は、前記第２の支持部分に面する側とは反対の側から離れる方向において外向きに突出する係合突起を有し、前記シート本体は、前記係合突起に対応する係合孔を有する、
子供安全シート。
【請求項１２】
前記シート本体は、前記第１の支持部分を格納するための格納室を有し、前記係合孔は、前記格納室の底壁の上に配置され、前記第１の支持部分が前記格納室内に格納されるとき、前記係合突起は前記係合孔内で案内される、請求項１１に記載の子供安全シート。
【請求項１３】
前記第１の支持部分が前記使用位置に配置されるとき、前記第１の支持部分は、前記格納室の側壁に対し、前記格納室の前記側壁は、前記第１の支持部分を支持する、請求項１２に記載の子供安全シート。
【発明の詳細な説明】
【技術分野】
【０００１】
本発明は、請求項１及び１２の序文に従った、折り畳み可能な支持装置と、関連する子供安全シートとに関する。
【背景技術】
【０００２】
経済成長が増大し、技術レベルが向上すると、沢山の豊富な資源が人々に提供され、人々の生活の質の継続的な向上をもたらす。従って、正に、継続的な向上の故に、様々な消費者製品のために、発展のための十分なプラットフォームが提供される。そこでは、子供安全シートが、様々な消費者製品の１つである。
【０００３】
子供安全シートは、自動車シートに据え付けられ且つ拘束装置によって子供安全シートの上に子供を拘束する装具である。緊急ブレーキ又は予期せぬ衝突が起こるとき、子供安全シートは、自動車エアバッグよりも子供の怪我を低減し得る。従って、子供安全シートは、消費者に急速に受け入れられており、徐々に全世界に広がっている。
【０００４】
そこでは、実際には、一部の子供安全シートを前向き及び後向きに使用し得る。前向きの方法において使用されるときには、子供をより快適且つ安全に着座させ得るよう、子供安全シートは、自動車シートに対するその高さが、子供の高さに従って調節されなければならない。
【０００５】
しかしながら、前向き又は後向きに使用し得る子供安全シートの殆どは、複雑な構造設計や、不便な操作や、子供のために子供安全シートの配置角度を調節する不便さといった不利点を有する。
【０００６】
従って、上記の不利点を克服するために、単純な構造を有し且つ操作の便宜を使用者に提供する折り畳み可能な支持装置及びその支持装置を有する子供安全シートが必要である。
【発明の概要】
【発明が解決しようとする課題】
【０００７】
これを念頭に置いて、本発明は、着座角度の便利な調節をもたらすために単純な折畳み可能な構造を使用する、折畳み可能な支持装置及び関連する子供安全シートを提供することを目標とする。
【課題を解決するための手段】
【０００８】
これは請求項１及び１２に従った折畳み可能な支持装置及び関連する子供安全シートによって達成される。従属項は対応する更なる開発及び改良に関する。
【０００９】
後続の詳細な記載からより明らかに分かるように、請求される折畳み可能な装置は、請求される子供安全シートのシート本体の上に据え付けられるよう構成される。折畳み可能な支持装置は、第１の支持部分と、第２の支持部分とを含む。第２の支持部分は、第１の支持部分に折り畳み可能であるよう、第１の支持部分のある端部に旋回的に接続される。第１の支持部分の他の部分は、子供安全シートのシート本体に旋回的に取り付けられる。第１の支持部分は、使用位置及び格納位置のうちの１つに配置されるよう、子供安全シートに対して選択的に回転させられる。第２の支持部分は、支持位置及び折畳み位置のうちの１つに配置されるよう、第１の支持部分に対して選択的に回転させられる。従って、折畳み可能な支持装置の使用者は、子供安全シートを着座角度において便利に調節し得る。
【００１０】
本発明のこれらの及び他の目的は、様々な図面及び図中に例示する好適実施態様の以下の詳細な記載を判読した後、当業者に疑いなく明らかになるであろう。
【００１１】
以下、添付の図面を参照して、一例として本発明を更に例示する。
【図面の簡単な説明】
【００１２】
【図１】第１の前向き使用状態にある本発明の子供安全シートを示す概略図である。
【図２】第２の前向き使用状態にある本発明の子供安全シートを示す概略図である。
【図３】図２中のＡ部分を示す拡大図である。
【図４】図２中の子供安全シートを他の視点から示す他の概略図である。
【図５】本発明の折り畳み可能な支持装置を示す概略図であり、その第２の支持部分は、その第１の支持部分に対する支持位置に配置されている。
【図６】図５中の折畳み可能な支持装置を示す分解図である。
【図７】図５中の折畳み可能な支持装置を示す概略図であり、その第１の支持部分は取り外されている。
【図８】図７中の折畳み可能な支持装置を示す概略図であり、その第２の支持部分は、第１の支持部分に対する折畳み位置に配置されている。
【図９】折畳み可能な支持装置を示す概略図であり、その第２の支持部分の第１の支持ブロックは取り外されている。
【図１０】第１の前向き使用状態にあるよう自動車シートの上に据え付けられた子供安全シートを示す概略図である。
【図１１】第２の前向き使用状態にあるよう自動車シートの上に据え付けられた子供安全シートを示す概略図である。
【図１２】後向きの使用状態にあるよう自動車シートの上に据え付けられた子供安全シートを示す概略図である。
【発明を実施するための形態】
【００１３】
図１乃至４を参照のこと。本発明の子供安全シート１００は、シート本体２０と、折畳み可能な支持装置１０とを含む。折畳み可能な支持装置１０は、第１の支持部分１１と、第２の支持部分１２とを含む。第２の支持部分１２は、第１の支持部分１１に対して折畳み可能である。第２の支持部分１２は、第１の支持部分１１の端部に旋回的に接続される。第１の支持部分１１の他の端部は、シート本体２０に旋回的に接続される。その実施態様では、第１の支持部分１１は、円形の据付け孔１１ｆを有し、相応して、シート本体２０は、突出する円形の据付けシャフト２３を有する。シート本体２０に旋回的に接続される第１の支持部分１１の目的を達成するために、第１の支持部分１１を据付けシャフト２３の周りで回転し得るよう、据付けシャフト２３は、据付け孔１１ｆを適合的に通過して突き出る。更に、第１の支持部分１１は、使用位置（即ち、図１２において第１の支持部分１１がシート本体２０から突き出る位置）又は格納位置（即ち、図１２にいて第１の支持部分１１がシート本体２０内に格納される位置）にあり続けるよう、シート本体２０に対して選択的に回転させられる。
【００１４】
第２の支持部分１２は、支持位置（即ち、図５において第２の支持部分１２が第１の支持部分１１から突き出る位置）又は折畳み位置（即ち、図８において第２の支持部分１２が第１の支持部分１１に対して折畳まれる位置）にあり続けるよう、第１の支持部分１１に対して選択的に回転される。第１の支持部分１１が使用位置に配置され、第２の支持部分１２が折畳み位置に配置されるとき、本発明の子供安全シート１００は、図１０によって示されるような、第１の前向き使用状態にある。第１の支持部分１１が使用位置に配置され、第２の支持部分１２が支持位置に配置されるとき、本発明の子供安全シート１００は、図１１によって示されるような、第２の前向き使用状態にある。第１の支持部分１１が格納位置に配置され、第２の支持部分１２が折畳み位置に配置されるとき、本発明の子供安全シート１００は、図１２によって示されるような、後向き使用状態にある。そこでは、シート本体２０に対する第１の支持部分１１及び第２の支持部分１２のより確実な支持のために、第１の支持部分１１は、第２の支持部分１２の２つの反対の側部に対で配置される。ある実施態様では、以下の通りである。
【００１５】
図６乃至９を参照のこと。折畳み可能な支持装置１０は、更に、制限部分１３と、円筒形の回転部分１４とを含む。回転部分１４は、第２の支持部分１２を回転可能に通過する。実際には、第２の支持部分１２は、回転部分１４が通過する旋回接続孔を有する。旋回接続孔１２１の使用によって、第２の支持部分１２を通過する回転部分１４の目的が達成される。回転部分１４及び第１の支持部分１１は固定的に接続される。その実施態様において、回転部分１４及び第１の支持部分１１のための固定的に接続する方法は、回転部分１４の２つの端部に固定孔１４ａを配置することである。第１の支持部分１１は、第２の支持部分１２に向かって突出する軸受部分１１ａを有する。軸受部分１１ａは回転部分１４を軸受するために使用され、中空構造において作製される。回転部分１４の２つの端部は、軸受部分１１ａ内に挿入される。回転部分１４の一端部は、リベット３０によって、第１の支持部分１１の軸受部分１１ａに固定的に接続される。回転部分１４の他端部は、ネジ４０によって、他の第１の支持部分１１の軸受部分１１ａに固定的に接続される。それによって、第１の支持部分１１に固定的に接続される回転部分１４の目的を達成するために、第１の支持部分１１上への回転部分１４の据付けが便利に行われる。
【００１６】
その上、制限部分１３のある端部が、第1の支持部分１１内に挿入される。制限部分１３の他の端部が、第２の支持部分１２内に延びる。制限部分１３を第１の支持部分１１内に挿入する方法を以下に記載する。第１の支持部分１１は、第２の支持部分１２に向かって突出する挿入ブロック１１ｂを有する。挿入ブロック１１ｂ及び軸受部分１１ａは平行である。制限部分１３を第１の支持部分１１内に挿入するという目的を達成するために、制限部分１３は、挿入ブロック１１ｂの上にスリーブ接続される。更に、第２の支持部分１２は、制限部分１３が延びるための回転室（回転空間）１２ａを有する。第２の支持部分１２は、少なくとも１つ位置決め突起１２ｂを有する。位置決め突起１２ｂは、回転部分１４の通過方向において、第２の支持部分１２から回転室１２ａ内に突出する。実際には、２つの位置決め突起１２ｂがある。２つの位置決め突起１２ｂは、回転室１２ａ内に一列に配置される。２つの位置決め突起１２ｂ及び回転室１２ａの側壁１２は、第１の位置決め領域１２ｃ及び第２の位置決め領域１２ｄを形成する。制限部分１３が第１の位置決め領域１２ｃ内に配置されるよう、第２の位置決め部分１２が図８における反時計回りに回転されるとき、第２の支持部分１２は、図７によって示されるような支持位置に配置される。制限部分１３が第２の位置決め領域１２ｄ内で回転されるよう、第２の支持部分１２が図７における矢印Ｂによって示される方向において回転されるとき、第２の支持部分１２は、図８によって示されるような折畳み位置に配置される。第１の位置決め領域１２ｃ及び第２の位置決め領域１２ｄの使用によって、制限部分１３を第１の位置決め領域１２ｃ又は第２の位置決め領域１２ｄ内に確実に配置し得る。制限部分１３及び回転部分１４の使用によって、第２の支持部分１２を第１の支持部分１１の周りで確実に回転させ得る。位置決め突起１２ｂの使用によって、第２の支持部分１２が第１の支持部分１３に対して選択的に回転されて支持位置又は折畳み位置にあり続けるよう、第１の位置決め領域１２ｃ又は第２の位置決め領域１２ｄに進入する支持部分１２を配置し得る。そこでは、制限部分１３が第１の位置決め領域１２ｃ又は第２の位置決め領域１２ｄに完全に進入するとき、制限部分１３は、位置決め突起１２ｂを押すことを止める。第１の位置決め領域１２ｃ又は第２の位置決め領域１２ｄに完全に進入する制限部分１３を係止するという目的を達成するために、位置決め突起１２ｂは、自動的に元の状態に戻る。実際には、回転室１２ａの底壁は、第１の分離孔１２ｅと、第１の片持ち部分１２ｆとを有する。第１の片持ち部分１２ｆは、第１の分離孔１２ｅ内で回転室１２ａから突出する。位置決め突起１２ｂは、第１の片持ち部分１２ｆの上に突出するよう配置される。好ましくは、回転室１２ａは、半円形状に設計される。第１の位置決め領域１２ｃ及び第２の位置決め領域１２ｄは、位置決め突起１２ｂと回転室１２ａの側壁１２２との間に形成される。その構造は単純であり、制限部分１３が回転室１２ａ内で回転するのに便利である。
【００１７】
図５乃至９を参照のこと。第２の支持部分１２は、互いに直線的に接続される第１の支持ブロック１２ｇと第２の支持ブロック１２ｈとを含む。第２の支持部分１２の製造がより容易であり且つその支持がより確実であるよう、第２の支持ブロック１２ｈは、第１の支持ブロック１２ｇ内に適合する。実際には、第２の支持ブロック１２ｈは、第１の支持ブロック１２ｇに向かって突出するスリーブ部分を有する。第１の支持ブロック１２ｇは、スリーブ部分１２ｉに対応するスリーブ室（スリーブ空間）１２ｊを有する。第１の支持ブロック１２ｇ及び第２の支持ブロック１２ｈが適合後に直線的に接続された状態にあるよう、スリーブ部分１２ｉ及びスリーブ室１２ｊの適合によって、第１の支持ブロック１２ｇは、第２の支持ブロック１２ｈの上にスリーブ接続される。更に、第２の支持部分１２と（図１１に示す）自動車シート２００との間のより確実な接触のために、第２の支持部分１２の底端部は、平坦な接触表面であるよう設計される。
【００１８】
図１乃至７及び図9を参照のこと。第1の支持部分１１は、第2の支持部分１２の側部から離れる方向において外向きに突出する係合突起１１ｃを有する。シート本体２０は、係合突起１１ｃに対応する係合孔２１（図４を参照）を有する。第１の支持部分１１内に折畳まれる第２の支持部分がシート本体２０の底部に確実に格納されるという第１の支持部分１１の目的を達成するために、係合突起１１ｃとの係合孔２１の適合によって、第１の支持部分１１をシート本体２０内に確実に係入させ得る。
【００１９】
その実施態様において、シート本体２０は、第１の支持部分１１をシート本体２０内に格納するための格納室（格納空間）２２を有する。係合孔２１は、格納室２２の底壁の上に配置される。第１の支持部分１１が格納室２２内に格納されるとき、係合突起１１ｃは、係合孔２１内に係合される。従って、その目的は、子供安全シート１００の後向き使用の信頼性を保証するために、第２の支持部分１１がシート本体２０の底部で第１の支持部分１１内に折畳まれた状態で第１の支持部分１１を格納することである。
【００２０】
更に、第１の支持部分１１は、第２の分離孔１１ｄと、第２の片持ち部分１１ｅとを有する。第２の片持ち部分１１ｅは、第２の分離孔１１ｄ内に突出する。係合突起１１ｃは、第２の片持ち部分１１ｅの上に突出するよう配置される。それによって、係合突起１１ｃは、係合孔２１と係合する前に、シート本体２０によって第１の支持部分１１内に僅かに押し込まれ、次に、係合突起１１ｃは、第１の支持部分１１がより確実に作用し得るよう、格納される第１の支持部分１１を係止し得る。更に、第１の支持部分１１が使用位置に配置されるとき、第１の支持部分１１は、格納室２２の側壁２４に対し、格納室２２の側壁２４は、第１の支持部分１１を支持する。
【００２１】
注目に値することは、ここでは追加的に記載しない本発明の子供安全シート１００を記載するプロセスにおいて本発明の折畳み可能な支持装置１０を例示したことである。
【００２２】
自動車シート２００に対する本発明の子供安全シート１００の調節に関する記載は、図１０乃至１２の組み合わせに基づく。子供安全シート１００が前向き使用の子供安全シートとして使用されるとき、第１の支持部分１１は、使用位置まで回転される。この瞬間、本発明の子供安全シート１００が、第１の支持部分１１、第１の支持表面１０２、及び自動車シート２００と接触するシート本体２０のシート背部表面１０６によって、図１０によって示されるような第１の前向き使用状態にあるよう、第２の支持部分１２は、折畳み位置に配置される（即ち、第２の支持部分１２は第１の支持部分１１に折り畳まれる）。
【００２３】
本発明の子供安全シート１００が、図１１によって使用されるような第２の前向き使用状態にあるよう、更に持ち上げられることが必要とされるならば、第２の支持部分１２を支持位置に配置させ且つ第２の支持部分１２を第１の支持部分１１から外に拡張させるために、第２の支持部分１２を図１０中に矢印Ｃによって示される方向において回転させ得る。この瞬間、子供安全シート１００は、第２の支持部分１２、第１の支持表面１０２、及び自動車シート２００と接触するシート本体２０のシート背部表面１０６によって、図１１によって示されるような第２の前向き使用状態にある。
【００２４】
本発明の子供安全シート１００が、乳児のために後向き使用において使用されるよう自動車シート２００の上に据え付けられるべきであるならば、先ず、第１の支持部分１１に折り畳まれるよう、第２の支持部分１２を図１１中に矢印Ｄによって示される方向において回転させ得る。次に、第１の支持部分１１は、第２の支持部分１２が第１の支持部分１１内に折畳まれた状態で、シート本体２０の上に格納される。最後に、本発明の子供安全シート１００は、自動車シート２００の上に据え付けられ、締結ストラップ３００によって自動車シート２００の上に固定される。この瞬間、図１２によって示されるような後向き使用状態にある子供安全シート１００は、シート本体２０の第２の支持表面１０４によって、自動車シート２００と接触する。
【００２５】
本発明の第２の支持部分１２は、第１の支持部分１１に折畳み可能であるよう、第１の支持部分１１の１つの端部に旋回的に接続される。第１の支持部分１１の他の端部は、シート本体２０に旋回的に接続される。第１の支持部分１１は、使用位置及び格納位置のうちの１つに配置されるよう、シート本体２０に対して選択的に回転させられる。更に、第２の支持部分１２は、支持位置及び折畳み位置のうちの１つに配置されるよう、第１の支持部分１１に対して選択的に回転させられる。従って、第１の支持部分１１が使用位置に配置され且つ第２の支持部分１２が折畳み位置に配置されるとき、本発明の子供安全シート１００は、第１の支持部分１１によって支持されるので、本発明の子供安全シート１００は、第１の支持部分１１、第１の支持表面１０２、及び、自動車シート２００に接触するシート本体２０のシート背部表面１０６によって、第１の前向き使用状態にある。第１の支持部分１１が使用位置に配置され且つ第２の支持部分１２が支持位置に配置されるとき、本発明の子供安全シート１００は、更に持ち上げられるために、第２の支持部分１２を通じて第１の支持部分１１によって支持されるので、本発明の子供安全シート１００は、第２の支持部分１２、第１の支持表面１０２、及び自動車シート２００に接触するシート本体２０のシート背部表面１０６によって、第２の前向き使用状態にある。第１の支持部分１１が格納位置に配置され且つ第２の支持部分１２が折畳み位置に配置されるとき、第１の支持部分１１及び第２の支持部分１２は、シート本体２０の底部に格納されるので、本発明の子供安全シート１００は、自動車シート２００に接触するシート本体２０の第２の支持表面１０４によって、後向き使用状態にあり得る。従って、本発明の折畳み可能な支持装置１０は、子供安全シート１００に対する第１の支持部分１１の位置及び第１の支持部分１１に対する第２の支持部分１２の位置を変更することだけによって、子供安全シート１００を前向き又は後向き使用状態において迅速且つ便利に変更するという目的を達成し、子供安全シート１００を第１の前向き使用状態と第２の前向き使用状態との間で切り換えることによって、前向き使用における子供安全シート１００の着座角度を調節するという目的を達成する。従って、本発明の折畳み可能な支持装置１０は単純な構造を有し、且つ、操作の便利性を使用者にもたらす。本発明の子供安全シート１００は、折畳み可能な支持装置１０を有することの故に、より広い使用範囲を有し、様々な年齢及び体の乳児に適する。更に、本発明の子供安全シート１００の第１の前向き使用状態と第２の前向き使用状態との間の切換えは、第１の支持部分１１の上で第２の支持部分１２を回転させることによって行われるので、本発明の子供安全シート１００は、着座角度を変更するという機能も有する。
【００２６】
当業者は、本発明の教示を維持しながら装置及び方法の数多くの変更及び変形を行い得ることを直ちに観察するであろう。従って、上記の開示は、付属の請求項の境界によってのみ限定されるものとして解釈されるべきである。
【符号の説明】
【００２７】
１０    折畳み可能な支持装置  (collapsible  support  device)
１１    第１の支持部分  (first  supporting  part)
１１ａ  軸受部分  (bearing  portion)
１１ｂ  挿入ブロック  (insertion  block)
１１ｃ  係合突起  (engagement  protrusion)
１１ｄ  第２の分離孔  (second  separation  hole)
１１ｅ  第２の片持ち孔  (second  cantilever  portion)
１１ｆ  据付け孔  (installation  hole)
１２    第２の支持部分  (second  supporting  part)
１２ａ  回転室  (rotation  room)
１２ｂ  位置決め突起  (positioning  protrusion)
１２ｃ  第１の位置決め領域  (first  positioning  area)
１２ｄ  第２の位置決め領域  (second  positioning  area)
１２ｅ  第１の分離孔  (first  separation  hole)
１２ｆ  第１の片持ち部分  (first  cantilever  portion)
１２ｇ  第１の支持ブロック  (first  supporting  block)
１２ｈ  第２の支持ブロック  (second  supporting  block)
１２ｉ  スリーブ部分  (sleeve  portion)
１２ｊ  スリーブ室  (sleeve  room)
１３    制限部分  (limitation  part)
１４    回転部分  (rotation  part)
１４ａ  固定孔  (fixing  hole)
２０    シート本体  (seat  body)
２１    係合孔  (engagement  hole)
２２    格納室  (storage  room)
２３    据付けシャフト  (installation  shaft)
２４    側壁  (side  wall)
３０    リベット  (rivet)
４０    ネジ  (screw)
２０    シート本体  (seat  body)
１００  子供安全シート  (child  safety  seat)
１０２  第１の支持表面  (first  supporting  surface)
１０４  第２の支持表面  (second  supporting  surface)
１０６  シート背部表面  (seat  back  surface)
１２１  旋回接続孔  (pivotal  connection  hole)
１２２  側壁  (side  wall)
２００  自動車シート  (car  seat)
３００  締結ストラップ  (fastening  strap)
【図１】
0005632503.tif 000002
【図２】
0005632503.tif 000003
【図３】
0005632503.tif 000004
【図４】
0005632503.tif 000005
【図５】
0005632503.tif 000006
【図６】
0005632503.tif 000007
【図７】
0005632503.tif 000008
【図８】
0005632503.tif 000009
【図９】
0005632503.tif 000010
【図１０】
0005632503.tif 000011
【図１１】
0005632503.tif 000012
【図１２】
0005632503.tif 000013